(57)【要約】【課題】操作部材が係止位置にあるのか非係止位置にあるのかを色で表示することにより、該操作部材の位置を目視で簡単に確認できるようにする。【解決手段】建物開口部に固定されるスクリーン取付枠２にスクリーン装置本体部３を取り外し可能に装着し、連結装置１３の操作部材２５を係止位置と非係止位置とに移動操作することによって前記スクリーン装置本体部３を前記スクリーン取付枠２に対して係止状態にしたり非係止状態にしたりするようにしたスクリーン装置において、前記連結装置１３に、前記操作部材２５が前記係止位置及び非係止位置の何れにあるかを色で表示する表示部２８を設ける。【選択図】図３
2014114641.tif 000002
【特許請求の範囲】
【請求項１】
建物開口部に固定されるスクリーン取付枠と、相対する第１連結杆及び第２連結杆の間にスクリーンを開閉自在に配設してなるスクリーン装置本体部とを有し、該スクリーン装置本体部の前記第１連結杆及び第２連結杆を前記スクリーン取付枠の相対する第１側枠杆及び第２側枠杆にそれぞれ連結装置で分離自在に連結することにより、該スクリーン装置本体部を前記スクリーン取付枠内に取り外し可能に装着したスクリーン装置であって、
前記連結装置は、前記第１側枠杆及び第２側枠杆の各々の外面に係止位置と非係止位置とに移動操作可能なるように配設された操作部材と、該操作部材と一体に移動し、該操作部材が係止位置にあるとき前記第１連結杆及び第２連結杆に係止して該第１連結杆及び第２連結杆を前記第１側枠杆及び第２側枠杆に連結させ、該操作部材が非係止位置にあるとき前記第１連結杆及び第２連結杆から外れて該第１連結杆及び第２連結杆を前記第１側枠杆及び第２側枠杆から分離させるラッチ部と、前記操作部材が前記係止位置及び非係止位置の何れにあるかを色で表示する表示部とを有する、
ことを特徴とするスクリーン装置。
【請求項２】
前記ラッチ部は、溝形断面をなす前記第１側枠杆及び第２側枠杆の内部に挿入され、該ラッチ部の一部には着色された前記表示部が形成され、前記第１側枠杆及び第２側枠杆には表示孔が形成されていて、前記操作部材が前記非係止位置にあるとき該表示孔から前記ラッチ部の表示部が目視可能であることを特徴とする請求項１に記載のスクリーン装置。
【請求項３】
前記表示部は、前記ラッチ部と別体の着色部片を該ラッチ部に取り付けることにより形成されたことを特徴とする請求項２に記載のスクリーン装置。
【請求項４】
前記表示孔は、前記操作部材が前記係止位置にあるとき該操作部材で覆い隠されることを特徴とする請求項２又は３に記載のスクリーン装置。
【請求項５】
前記操作部材とラッチ部と表示孔とは、前記第１側枠杆及び第２側枠杆の両側面に設けられていることを特徴とする請求項２から４の何れかに記載のスクリーン装置。
【発明の詳細な説明】
【技術分野】
【０００１】
本発明は、遮光、断熱、目隠し、防虫、花粉の侵入防止等のため建物開口部に取り付けるスクリーン装置に関するものであり、更に詳しくは、スクリーンの保守点検や開閉方向の変更あるいは交換等のために該スクリーンを取り外すことができるようにしたスクリーン装置に関するものである。
【背景技術】
【０００２】
特許文献１に開示されているように、スクリーンの保守点検や開閉方向の変更あるいは交換等を可能にするため、建物開口部に固定されたスクリーン枠にスクリーンユニットを着脱自在に取り付けたスクリーン装置は公知である。このスクリーン装置は、スクリーンの一端と他端とを固定枠と可動框とに連結すると共に、該可動框側に該可動框が当接する受け枠を配設することにより、前記スクリーンと固定枠と可動框と受け枠とによって前記スクリーンユニットを形成し、前記固定枠をスクリーン枠の一方の側枠に係着機構で分離自在に連結すると共に、前記受け枠をスクリーン枠の他方の側枠に係着機構で分離自在に連結することにより、前記スクリーンユニットを前記スクリーン枠に対して着脱自在に装着したものである。
【０００３】
前記係着機構は、前記側枠の外面に移動操作自在に設けられた操作部材と、前記側枠の内部に該操作部材と一体的に移動するように配設されたラッチ部片とを有していて、前記スクリーンユニットを前記スクリーン枠に装着するときは、前記操作部材を係止位置に移動させて前記ラッチ部片を固定枠及び受け枠に係止させ、前記スクリーンユニットを前記スクリーン枠から取り外すときは、前記操作部材を非係止位置に移動させて前記ラッチ部片を固定枠及び受け枠から外すようにする。
【０００４】
ところが、前記従来のスクリーン装置は、前記スクリーンユニットをスクリーン枠に取り付けたり取り外したりする場合に、前記操作部材が係止位置にあるのか非係止位置にあるのかが分かりにくいため、作業を行いづらいという問題があった。
【先行技術文献】
【特許文献】
【０００５】
【特許文献１】特開２０１２−１８０６３６号公報
【発明の概要】
【発明が解決しようとする課題】
【０００６】
本発明の技術的課題は、操作部材の操作でスクリーンユニットをスクリーン枠に係止させて取り付けたり非係止状態にして取り外したりするスクリーン装置において、前記操作部材が係止位置にあるのか非係止位置にあるのかを色で表示することにより、該操作部材の位置を目視で簡単かつ確実に確認できるようにすることにある。
【課題を解決するための手段】
【０００７】
前記課題を解決するため、本発明によれば、建物開口部に固定されるスクリーン取付枠と、相対する第１連結杆及び第２連結杆の間にスクリーンを開閉自在に配設してなるスクリーン装置本体部とを有し、該スクリーン装置本体部の前記第１連結杆及び第２連結杆を前記スクリーン取付枠の相対する第１側枠杆及び第２側枠杆にそれぞれ連結装置で分離自在に連結することにより、該スクリーン装置本体部を前記スクリーン取付枠内に取り外し可能に装着したスクリーン装置であって、前記連結装置は、前記第１側枠杆及び第２側枠杆の各々の外面に係止位置と非係止位置とに移動操作可能なるように配設された操作部材と、該操作部材と一体に移動し、該操作部材が係止位置にあるとき前記第１連結杆及び第２連結杆に係止して該第１連結杆及び第２連結杆を前記第１側枠杆及び第２側枠杆に連結させ、該操作部材が非係止位置にあるとき前記第１連結杆及び第２連結杆から外れて該第１連結杆及び第２連結杆を前記第１側枠杆及び第２側枠杆から分離させるラッチ部と、前記操作部材が前記係止位置及び非係止位置の何れにあるかを色で表示する表示部とを有することを特徴とするスクリーン装置が提供される。
【０００８】
本発明において、前記ラッチ部は、溝形断面をなす前記第１側枠杆及び第２側枠杆の内部に挿入され、該ラッチ部の一部には着色された前記表示部が形成され、前記第１側枠杆及び第２側枠杆には表示孔が形成されていて、前記操作部材が前記非係止位置にあるとき該表示孔から前記ラッチ部の表示部が目視可能である。
【０００９】
前記表示部は、前記ラッチ部と別体の着色部片を該ラッチ部に取り付けることにより形成されていることが望ましい。
また、前記表示孔は、前記操作部材が前記係止位置にあるとき該操作部材で覆い隠される位置に形成されていても良く、前記操作部材とラッチ部と表示孔とは、前記第１側枠杆及び第２側枠杆の両側面に設けられていても良い。
【発明の効果】
【００１０】
本発明によれば、操作部材が係止位置にあるのか非係止状態にあるのかを色で表示するようにしたので、該操作部材の位置を目視で簡単かつ確実に確認することができる。
【図面の簡単な説明】
【００１１】
【図１】本発明に係るスクリーン装置の一実施例を示す部分破断正面図である。
【図２】図１の水平断面図である。
【図３】図１のスクリーン装置のうちスクリーン装置本体部と組立体取付枠の第１側枠杆及び第２側枠杆とを分離して示す斜視図である。
【図４】連結装置の操作部材とラッチ受けと着色部片とを分解して示す斜視図である。
【図５】連結装置を組立体取付枠の側枠杆に取り付ける状態を説明する断面図である。
【図６】操作部材が係止位置にあってスクリーン装置本体部が組立体取付枠に取り付けられた状態を示す要部側面図である。
【図７】操作部材が非係止位置にあってスクリーン装置本体部が組立体取付枠から取り外し可能になった状態を示す要部側面図である。
【図８】スクリーン装置本体部を左右反転して取り付けた状態の水平断面図である。
【発明を実施するための形態】
【００１２】
図は本発明に係るスクリーン装置の一実施形態を示すものである。このスクリーン装置は、遮光、断熱、目隠し、防虫、花粉の侵入防止等の目的のため建物の窓や出入り口等の建物開口部に取り付けて使用するもので、各々の目的に合った形態のスクリーンを備えている。
【００１３】
図１−図３に示すように、前記スクリーン装置は、建物開口部を形成する矩形の開口部枠１内に矩形のスクリーン取付枠２を固定し、該スクリーン取付枠２にスクリーン装置本体部３を着脱自在に装着したものである。
【００１４】
前記スクリーン取付枠２は、溝形断面をなす左右の第１側枠杆４及び第２側枠杆５と、同様に溝形断面をなす上横枠杆６及び下横枠杆７とを、相互に組み合わせることにより矩形に形成され、前記第１側枠杆４及び第２側枠杆５が前記開口部枠１の左側及び右側の縦枠部材１ａ，１ｂにそれぞれ螺子８で固定され、前記上横枠杆６及び下横枠杆７が前記開口部枠１の上横枠部材１ｃ及び下横枠部材１ｄにそれぞれ螺子８で固定されている。
【００１５】
前記スクリーン装置本体部３は、図２及び図３から分かるように、相対する左右の第１連結杆１１と第２連結杆１２との間に、蛇腹状に折曲されて伸縮自在のスクリーン１０を、伸縮により横向きに開閉自在なるように配設したもので、前記第１連結杆１１及び第２連結杆１２を前記スクリーン取付枠２の前記第１側枠杆４及び第２側枠杆５の内部にそれぞれ嵌合させた状態で、該第１連結杆１１及び第２連結杆１２を前記第１側枠杆４及び第２側枠杆５にそれぞれ連結装置１３で分離自在に連結することにより、図１及び図２に示すように、該スクリーン装置本体部３が前記スクリーン取付枠２内に取り外し可能に装着されている。
【００１６】
以下、前記スクリーン装置本体部３の具体的構成について説明する。図２から分かるように、前記スクリーン１０の伸縮方向の一端と他端には、第１取付板１４と第２取付板１５とが接着等の方法により固定され、一方の第１取付板１４は、溝形断面をなす前記第１連結杆１１の内部に係止状態に挿入され、他方の第２取付板１５は、後述するワイヤ挿通部材１６の一部として該ワイヤ挿通部材１６と一体に形成され、該ワイヤ挿通部材１６が中空状をした可動框１７の内部に係止状態に挿入されている。
【００１７】
前記可動框１７は、前記スクリーン１０を開閉操作するためのもので、上端及び下端が前記スクリーン取付枠２の上横枠杆６及び下横枠杆７内に嵌合して両横枠杆６，７により移動を案内され、図１及び図２のようにスクリーン１０を折り畳んで建物開口部を開放したとき、該可動框１７の両側壁１７ａの先端部が前記第１連結杆１１内に嵌合した位置で停止し、図１及び図２の開放状態から前記可動框１７を右方向に移動させてスクリーン１０を伸張させ、該スクリーン１０で建物開口部を閉鎖したとき、前記可動框１７は前記第２連結杆１２に当接して停止する。
前記可動框１７が開放位置で前記第１連結杆１１に当接しているとき、折り畳まれたスクリーン１０は該可動框１７の両側壁１７ａによって完全に覆い隠される。
また、前記可動框１７と第２連結杆１２には、該可動框１７が第２連結杆１２に当接したとき相互に止着し合う止着手段が設けられ、該可動框１７が閉鎖位置に保持されるようになっている。この止着手段は、例えば永久磁石やフック等で形成することができる。
【００１８】
前記可動框１７を開閉操作するとき該可動框１７の姿勢を一定に保持して安定的に平行移動させるため、前記スクリーン装置には平行移動機構が設けられている。この平行移動機構は、図１−図３に示すように、一端が前記第２連結杆１２の上端部近くに固定された１本のワイヤー２０を、該第２連結杆１２の上端部から可動框１７の上端部を経て、該可動框１７に挿入された中空の前記ワイヤ挿通部材１６内に挿通し、該可動框１７の下部近くで前記ワイヤ挿通部材１６に形成された導出口２１から導出させてスクリーン１０を水平に貫通させ、前記第１連結杆１１の内部に導いて該第１連結杆１１の内部を上方に引き回したあと、該第１連結杆１１の上部近くでスクリーン１０を貫通する方向に変向させて前記ワイヤ挿通部材１６の導入口２２から可動框１７の内部に導き、該可動框１７の下端から前記第２連結杆１２の下端を通じて該第２連結杆１２の内部に挿入し、該ワイヤー２０の他端を前記第２連結杆１２の内部下端近くの位置に固定した状態に張り廻らしたもので、このワイヤー２０によって前記スクリーン１０の弛みや風等による揺らぎを防止できるようにしている。しかし、平行移動機構はかかる構成に限るものではなく、他の構成を持った平行移動機構を採用することができる。
【００１９】
次に、前記スクリーン装置本体部３を前記スクリーン取付枠２内に取り外し可能に装着するための前記連結装置１３について説明する。この連結装置１３は、図１及び図３から明らかなように、前記第１連結杆１１と第１側枠杆４とを上下２カ所で連結するため該第１側枠杆４の上下に２組設けられると共に、前記第２連結杆１２と第２側枠杆５とを上下２カ所で連結するため該第２側枠杆５の上下に２組設けられていて、全部で４組の連結装置１３が設けられているが、該４組の連結装置１３は互いに同一構成を有するため、ここでは便宜上、前記第２連結杆１２と第２側枠杆５とを連結する上下２組の連結装置１３を例として代表的に説明する。
【００２０】
図３−図５から分かるように、各連結装置１３は、前記第２側枠杆５の左右両側壁５ａの外面にそれぞれ該第２側枠杆５の長手方向（上下方向）に移動操作可能なるように配設された左右２つの操作部材２５と、各操作部材２５の内側面に一体に連設されたラッチ部２６と、前記第２側枠杆５の内部に挿入されて前記操作部材２５に連結された１つのラッチ受け２７と、前記操作部材２５の操作位置を色で表示する表示部２８とを有している。
【００２１】
前記操作部材２５は上下方向に細長い部材で、合成樹脂又は金属により形成され、該操作部材２５の外側面は平面をなし、該操作部材２５の内側面の上部には矩形の凹部３０が形成され、該内側面の中間位置には、先端に返し３１ａを有する２つの係止弾片３１が該返し３１ａを互いに相反する方向（上方と下方）に向けて形成され、前記内側面の該係止弾片３１より下方位置には、上下方向に細長く延びる前記ラッチ部２６の基端部２６ａが固定され、該ラッチ部２６の先端は前記操作部材２５の下端部より更に下方まで延びている。該ラッチ部２６と前記操作部材２５との間には、前記第２側枠杆５の側壁５ａが嵌合できる隙間が形成されている。
また、前記ラッチ部２６の内側面には、前記第２連結杆１２の側面に形成された複数のフィン状の係止部３２の一つに係止する細幅の係止突条２６ｂが、該ラッチ部２６の長さ方向に形成されている。
【００２２】
前記係止部３２は、前記第２連結杆１２の側面の上下方向の中央部と上下両端部との３カ所に、上下対称をなすように形成されていて、上方の連結装置１３における操作部材２５のラッチ部２６が中間の係止部３２の上端に係止し、下方の連結装置１３における操作部材２５のラッチ部２６は下端の係止部３２の上端に係止する。
【００２３】
前記ラッチ部２６の下端部の前記操作部材２５の下端部より下方に延出する部分の外面には、赤色やオレンジ色等の目立ちやすい色に着色された前記表示部２８が形成されている。該表示部２８は、前記ラッチ部２６と別体に形成した金属又は合成樹脂等からなる矩形の着色部片３３を該ラッチ部２６に取り付けることにより形成されたもので、その取り付けは、該着色部片３３に形成した係止弾片３３ａを前記ラッチ部２６の係止孔２６ｃに弾力的に係止させることにより行われている。このような着色部片３３を前記ラッチ部２６の一部に取り付けることにより、前記表示部２８を簡単に形成することができる。
【００２４】
一方、前記ラッチ受け２７は、合成樹脂又は金属により平面視コ字状をなすように形成されていて、前記第２側枠杆５の背壁５ｂに沿って該第２側枠杆５の幅方向に延在する本体部２７ａと、該本体部２７ａの左右両側端に直角に連設された左右の側腕部２７ｂとを有している。そして、該ラッチ受け２７は、前記第２側枠杆５の中空部５ｃ内に該第２側枠杆５の端部側から収容され、該第２側枠杆５の側壁内面の係止リブ５ｄに前記側腕部２７ｂの先端が係止することにより、前記操作部材２５が連結されていない状態でも前記中空部５ｃから第２側枠杆５の前面側に向けて抜け出さないようになっている。
【００２５】
前記ラッチ受け２７の左右の側腕部２７ｂには、それぞれ、上下対称をなす位置に２つの矩形の連結孔３４が形成されると共に、該２つの連結孔３４の間の位置に位置決め用弾片３５が形成され、該位置決め用弾片３５の丸みを帯びた係止頭３５ａが、前記２つの連結孔３４，３４のちょうど中央に位置している。
【００２６】
前記操作部材２５と前記ラッチ受け２７とを前記第２側枠杆５の側壁５ａを介して連結するため、該第２側枠杆５の左右の側壁５ａには、上下に細長い長方形の操作孔３６が形成されると共に、該操作孔３６を挟んで上下対称をなす位置に矩形の係止孔３７と表示孔３８が形成されている。該係止孔３７と表示孔３８は同じ大きさである。
【００２７】
そして、前記操作部材２５のラッチ部２６を前記操作孔３６内に該ラッチ部２６の先端側から挿入し、該ラッチ部２６全体を前記第２側枠杆５の内部に挿入したあと、該操作部材２５の２つの係止弾片３１を前記ラッチ受け２７の下方の連結孔３４に挿入し、先端の返し３１ａを該連結孔３４の上下の孔縁に係止させることにより、前記操作部材２５とラッチ受け２７とが相互に連結されると共に、該操作部材２５が前記第２側枠杆５の外側面に取り付けられている。
【００２８】
前記操作部材２５は、上下方向に移動操作することにより、前記第２連結杆１２を前記第２側枠杆５に連結させる図６の係止位置と、前記第２連結杆１２を前記第２側枠杆５から分離させる図７の非係止位置とに移動可能であり、前記ラッチ部２６及びラッチ受け２７も該操作部材２５と一体となって移動する。
【００２９】
そして、前記スクリーン装置本体部３を前記スクリーン取付枠２に取り付けるときは、前記操作部材２５を下方に押し下げて図６の係止位置に移動させる。これにより、前記ラッチ部２６の係止突条２６ｂが前記第２連結杆１２の１つの係止部３２に係止して該第２連結杆１２は前記第２側枠杆５に連結された状態になり、それと同時に、前記ラッチ部２６の基端部２６ａの下面が前記操作孔３６の下端縁に当接して該操作部材２５を該係止位置に位置決めすると共に、前記位置決め用弾片３５の係止頭３５ａが前記操作孔３６の上端縁に係止して該操作部材２５の不必要な上昇を防止し、前記第２側枠杆５の側面の係止孔３７と表示孔３８は両方とも前記操作部材２５によって覆い隠された状態になり、該表示孔３８を通じての前記表示部２８による色の表示は行われない。
【００３０】
前記操作部材２５を前記係止位置に移動させる操作は、前記第１連結杆１１と第１側枠杆４とを連結する上下２組の連結装置１３についても同時に行われ、これによって前記スクリーン装置本体部３は前記スクリーン取付枠２に取り付けられた状態になる。
【００３１】
一方、前記スクリーン装置本体部３を前記スクリーン取付枠２から取り外すときは、前記操作部材２５を上方に押し上げて図７の非係止位置に移動させる。これにより、前記ラッチ部２６の係止突条２６ｂが前記係止部３２から外れて該第２連結杆１２は前記第２側枠杆５から分離できる状態になる。それと同時に、前記位置決め用弾片３５の係止頭３５ａが前記係止孔３７に弾力的に係止して前記操作部材２５が前記非係止位置に位置決めされると共に、表示孔３８が露出して該表示孔３８から前記着色部片３３の色が目視できるようになる。従って、この色を見て前記第２連結杆１２が前記第２側枠杆５から分離できること、即ち、前記スクリーン装置本体部３が前記スクリーン取付枠２内から取り外し可能な状態であることを確認することができる。
【００３２】
前記操作部材２５を前記非係止位置に移動させる操作は、前記第１連結杆１１と第１側枠杆４とを連結する上下２組の連結装置１３についても同時に行われ、これによって前記スクリーン装置本体部３は前記スクリーン取付枠２から取り外すことができる。
【００３３】
前記操作部材２５を非係止位置に保持させた状態で前記スクリーン装置本体部３をスクリーン取付枠２から取り外したあと、メンテナンスが終了したこのスクリーン装置本体部３を再び取り付けるか、あるいは別のスクリーン装置本体部３を取り付けるときは、前記操作部材２５を前記非係止位置に保持させたまま、該スクリーン装置本体部３の第１連結杆１１及び第２連結杆１２を前記スクリーン取付枠２の第１側枠杆４及び第２側枠杆５内にそれぞれ嵌合し、前記操作部材２５を係止位置に移動させる。これによって前記スクリーン装置本体部３のスクリーン取付枠２に対する取り付けが完了する。
【００３４】
前記各連結装置１３の操作部材２５は、図示した実施形態の場合と上下逆向きに取り付けることもできる。
即ち、図３において、前記操作部材２５はラッチ部２６を上向きにした状態で各側枠杆４，５に取り付けることもできる。この場合、ラッチ受け２７は上下逆向きにしても良いが、必ずしも逆向きにする必要はなく、いずれの場合でも、該ラッチ受け２７の側腕部２７ｂの上方の連結孔３４に前記操作部材２５の係止弾片３１が挿入、係止される。
【００３５】
このように前記操作部材２５を上下逆向きに取り付けた場合、図６及び図７の場合とは逆に、該操作部材２５を上方に押し上げた位置が係止位置、下方に押し下げた位置が非係止位置となる。また、側枠杆４，５に形成された前記係止孔３７及び表示孔３８は機能が逆転し、操作孔３６の上方に位置する孔が表示部２８の色を表示する表示孔となり、操作孔３６の下方に位置する孔がラッチ受け２７の位置決め用弾片３５の係止頭３５ａが係止する係止孔となる。更に、前記スクリーン装置本体部３を前記スクリーン取付枠２に取り付けたとき、上下２組の連結装置１３のうち上方の連結装置１３においては、前記操作部材２５のラッチ部２６の係止突条２６ｂが、連結杆１１，１２の上端に形成された係止部３２の下端部に係止し、下方の連結装置１３においては、前記操作部材２５のラッチ部２６の係止突条２６ｂが、連結杆１１，１２の中央に位置する係止部３２の下端部に係止することになる。
【００３６】
前記スクリーン取付枠２は、前後（表裏）対称であると共に左右対称かつ上下対称をなすように形成されることにより、開口部枠１内に取り付ける際の方向性をなくしてどのような向きにも取り付けることができるようになっている。
また、前記スクリーン装置本体部３も、前記スクリーン取付枠２に取り付ける際の方向性をなくすため、前後対称かつ上下対称に形成されている。このため、前後逆向きにするか、あるいは上下及び左右を逆にすることにより、図８に示すように、スクリーン１０の開閉勝手を図２の場合とは左右逆にすることもできる。
【００３７】
なお、図示した実施形態では、各連結装置１３が操作部材２５を２つ備えているが、該操作部材２５の数は１つであっても良い。
また、前記スクリーン１０として蛇腹状に折曲したものを使用し、該スクリーン１０を折り畳んだり引き延ばしたりして開閉するようにしているが、前記スクリーン１０として平面シート状のものを使用し、それを一方の連結杆１１又は１２内に設けた巻取軸に巻き取ったり該巻取軸から繰り出したりすることによって開閉するように構成することもできる。
更に、本発明は、スクリーン１０を上下方向に開閉する縦開き式のスクリーン装置にも適用することができる。
【符号の説明】
【００３８】
２      スクリーン取付枠
３      スクリーン装置本体部
４      第１側枠杆
５      第２側枠杆
１０      スクリーン
１１      第１連結杆
１２      第２連結杆
１３      連結装置
２５      操作部材
２６      ラッチ部
２８      表示部
３３      着色部片
３８      表示孔
【図１】
2014114641.tif 000003
【図２】
2014114641.tif 000004
【図３】
2014114641.tif 000005
【図４】
2014114641.tif 000006
【図５】
2014114641.tif 000007
【図６】
2014114641.tif 000008
【図７】
2014114641.tif 000009
【図８】
2014114641.tif 000010